(57)【要約】【課題】用紙の重送が生じた後の後処理に関するユーザーの利便性の向上を図った用紙搬送方法を提供すること。【解決手段】用紙搬送方法は、給紙部に積載された用紙を用紙搬送路に給紙し、用紙搬送路に給紙された用紙に重送が生じているか否かを判定し、重送が生じていないと判定された場合は用紙に対する所定の処理を実行してから排紙ローラによって用紙を排紙部に排紙し、重送が生じていると判定された場合は用紙に対する所定の処理を実行せずに重送状態のまま用紙の搬送を継続して排紙部へ送り出す。【選択図】図６
2008063101.tif 000002
【特許請求の範囲】
【請求項１】
給紙部に積載された用紙を用紙搬送路に給紙し、用紙搬送路に給紙された用紙に重送が生じているか否かを判定し、重送が生じていないと判定された場合は用紙に対する所定の処理を実行してから排紙ローラによって用紙を排紙部に排紙し、重送が生じていると判定された場合は用紙に対する所定の処理を実行せずに重送状態のまま用紙の搬送を継続して排紙部へ送り出す用紙搬送方法。
【請求項２】
重送が生じていると判定された場合、給紙部から用紙搬送路への給紙を停止する請求項１に記載の用紙搬送方法。
【請求項３】
重送状態のまま搬送が継続された用紙を排紙ローラによって挟持しその状態で用紙を保持する請求項２に記載の用紙搬送方法。
【請求項４】
給紙された用紙に重送が生じていると判定され、かつ、重送が生じた用紙よりも先に給紙された用紙が用紙搬送路に存在するとき、先に給紙された用紙については所定の処理を実行し排紙部に排紙する請求項１〜３のいずれか１つに記載の用紙搬送方法。
【請求項５】
原稿が積載される給紙部と、給紙部に積載された原稿を用紙搬送路へ給紙する給紙ローラと、用紙搬送路の途中に設けられ原稿が重なって用紙搬送路へ給紙された際に原稿の重送を検知する重送検知手段と、搬送されてきた原稿の画像を読み取る画像読取手段と、原稿を排紙部に排紙する排紙ローラと、給紙ローラ、重送検知手段、画像読取手段および排紙ローラを制御する制御部とを備え、制御部は給紙ローラを駆動させて原稿を用紙搬送路へ給紙させ、用紙搬送路へ給紙された原稿に重送が生じているか否かを重送検知手段により判定し、重送が生じていないと判定した場合は画像読取手段に原稿の画像読取を実行させると共に排紙ローラを駆動させて原稿を排紙部に排紙させ、重送が生じていると判定した場合は画像読取手段による原稿の画像読取を実行させることなく重送状態のまま原稿の搬送を継続して排紙部へ送り出す原稿読取装置。
【請求項６】
制御部は重送が生じていると判定した場合、重送状態の原稿を排紙ローラによって挟持させてその状態で原稿を保持させると共に、給紙ローラによる給紙部から用紙搬送路への原稿の給紙を停止させる請求項５に記載の原稿読取装置。
【請求項７】
制御部によって制御され所望のメッセージを表示する表示部をさらに備え、制御部は重送状態の原稿が排紙ローラによって挟持されたときに、排紙ローラに挟持された原稿を給紙部へ戻すメッセージを表示部に表示させる請求項６に記載の原稿読取装置。
【発明の詳細な説明】
【技術分野】
【０００１】
この発明は、用紙搬送方法およびその方法を利用した原稿読取装置に関し、詳しくは、重送が生じた用紙の後処理に関して利便性の向上を図った用紙搬送方法とその方法を利用した原稿読取装置に関する。
【背景技術】
【０００２】
この発明に関連する従来技術としては、１対の送波器と受波器とから構成される超音波センサを用いて用紙の重送を検知する重送検知装置において、正確な重送検知を妨げる原因となる超音波センサ設置箇所付近の不要な反射波による影響を避けるために送波器と受波器の周囲に吸音材を配置したものが知られている（例えば、特許文献１参照）。
【特許文献１】特開２００５−８２３５０号公報
【発明の開示】
【発明が解決しようとする課題】
【０００３】
近年、複写機、プリンターなどの画像形成装置の高速印字化が進められている。
このため、画像形成装置に搭載され、原稿移動方式で原稿の画像を読み取る機能を備えたシートスルー装置（ＳＰＦ）（シングル・パス・フィーダー）にも用紙としての原稿を高速で搬送することが求められている。
しかしながら、原稿を高速で搬送しようとすると、原稿が積載されたＳＰＦの給紙部から原稿を用紙搬送路へ送り出す際に、用紙が静電気を帯び易くなり原稿が重なった重送状態で送り出される恐れが高くなる。
【０００４】
原稿が重なった重送状態のまま搬送され画像読取部で画像の読み取りが行われると、当然のことながら本来読み取られるべき画像とは異なる画像が読み取られることになる。
このため、従来の重送検知機能付きＳＰＦでは、原稿の重送が検知された場合、直ちに原稿の搬送を停止し、原稿詰まり（ＪＡＭ）が生じた旨のメッセージをユーザーに対して表示し、ユーザーに用紙搬送路内の原稿を取り除くよう要求していた。
そして、ユーザーによってＳＰＦのカバー等が開けられ、用紙搬送路内の用紙が取り除かれると、既に正常に読み取られた原稿との並び順を整合させるため、「○○枚目の原稿を給紙部に戻してください」などというメッセージをユーザーに表示し、指示通り○○枚目の原稿を給紙部に戻すことをユーザーに要求していた。
【０００５】
ユーザーが、メッセージの指示を的確に理解し、正確に○○枚目の原稿を給紙部に戻して再び読取要求を行えば、給紙部に戻された原稿から再び搬送と画像読取が開始され、先に読み取られた原稿との並び順は整合されることとなる。
しかしながら、上述のような高速で原稿を搬送するＳＰＦでは、用紙搬送路に重送状態の原稿だけでなく、先に送り出された他の原稿も存在していることが多い。
このとき、ユーザーにとっては、用紙搬送路中で搬送が停止された原稿のうち、どの原稿までが正常に読み取られたのか即座に判断することが難しく、単に「○○枚目の原稿を給紙部に戻してください」と指示されても、どの原稿から戻せばよいのか的確に理解し難く、戸惑うことが多い。
【０００６】
また、ユーザーがＳＰＦのカバー等を開けて用紙搬送路中で停止した原稿を取り除く際、用紙搬送路中で停止した原稿は用紙搬送路に沿って設けられた搬送ローラに挟持されていることも多く、場合によっては原稿を取り除く際に原稿が破損してしまうこともある。
原稿が破損してしまった場合、当然ながらユーザーが本来要求していた画像読取が行えないこととなり、ユーザーに対して多大な損害を与えることになる。
【０００７】
この発明は以上のような事情を考慮してなされたものであり、用紙の重送が生じた後の後処理に関するユーザーの利便性の向上を図った用紙搬送方法とその方法を利用した原稿読取装置を提供するものである。
【課題を解決するための手段】
【０００８】
この発明は、給紙部に積載された用紙を用紙搬送路に給紙し、用紙搬送路に給紙された用紙に重送が生じているか否かを判定し、重送が生じていないと判定された場合は用紙に対する所定の処理を実行してから排紙ローラによって用紙を排紙部に排紙し、重送が生じていると判定された場合は用紙に対する所定の処理を実行せずに重送状態のまま用紙の搬送を継続して排紙部へ送り出す用紙搬送方法を提供するものである。
【発明の効果】
【０００９】
この発明によれば、用紙搬送路に給紙された用紙に重送が生じていると判定された場合には、用紙に対する所定の処理が実行されずに重送状態のまま用紙の搬送が継続され排紙部へ送り出されるので、所定の処理が実行されることなく重送状態のまま搬送されてきた用紙を容易に判別でき、用紙の重送が生じた後の後処理に関するユーザーの利便性を向上させることができる。
さらには、用紙の重送に起因して、ユーザーに用紙搬送路から用紙を取り除かせるような不便を強いることも解消できる。
【発明を実施するための最良の形態】
【００１０】
この発明による用紙搬送方法は、給紙部に積載された用紙を用紙搬送路に給紙し、用紙搬送路に給紙された用紙に重送が生じているか否かを判定し、重送が生じていないと判定された場合は用紙に対する所定の処理を実行してから排紙ローラによって用紙を排紙部に排紙し、重送が生じていると判定された場合は用紙に対する所定の処理を実行せずに重送状態のまま用紙の搬送を継続して排紙部へ送り出すことを特徴とする。
【００１１】
この発明による用紙搬送方法において、給紙部とは、搬送されるべき用紙が積載される部分を意味し、例えば、複写機、ファクシミリ又はスキャナ等に搭載されるシートスルー装置にあっては原稿トレイが挙げられ、複写機、ファクシミリ又はプリンター等の画像形成装置にあっては給紙カセットなどが挙げられる。もちろん、シートスルー装置や画像形成装置の手差しトレイも給紙部の範疇に含まれる。
用紙とは読み取られるべき画像が形成された原稿、読み取られた画像が形成される記録用紙、その他ＯＨＰシートなどを意味する。
用紙搬送路とは、給紙部から給紙された用紙を所定の経路に沿って案内する部分を意味する。
【００１２】
用紙の重送とは、用紙が１枚ずつ分離して搬送されずに、複数枚の用紙の少なくとも一部が重なって搬送されることを意味する。
所定の処理とは、用紙に対する何らかの処理を意味し、例えば、シートスルー装置にあっては所定の読取位置での画像読取処理、画像形成装置にあっては画像形成部での画像形成処理などが挙げられる。
排紙部とは、用紙搬送路から排出されてきた用紙を受け止める部分を意味し、例えば、シートスルー装置や画像形成装置にあっては排紙トレイが挙げられる。
【００１３】
この発明による用紙搬送方法は、重送が生じていると判定された場合、給紙部から用紙搬送路への給紙を停止してもよい。
このような構成によれば、重送が生じたと判定されたときに、給紙部から用紙搬送路への給紙が停止されるので、ユーザーは重送状態のまま搬送され排紙部へ送り出された用紙を給紙部へ戻すことにより、給紙部に残っている未搬送の用紙との並び順を容易に回復させることができる。
【００１４】
また、重送が生じていると判定された場合に用紙の給紙が停止される上記構成に係る用紙搬送方法は、重送状態のまま搬送が継続された用紙を排紙ローラによって挟持しその状態で用紙を保持してもよい。
このような構成によれば、重送状態の用紙が排紙ローラによって挟持されその状態で保持されるので、ユーザーは重送状態のまま搬送され所定の処理が実行されなかった用紙を、所定の処理が実行され先に排紙部に排紙された他の用紙と容易かつ確実に区別することができ、ユーザーにとって極めて利便性の高いものとなる。
【００１５】
この発明による用紙搬送方法は、給紙された用紙に重送が生じていると判定され、かつ、重送が生じた用紙よりも先に給紙された用紙が用紙搬送路に存在するとき、先に給紙された用紙については所定の処理を実行し排紙部に排紙してもよい。
このような構成によれば、先に給紙された用紙は所定の処理が実行された後に排紙部に排紙されるので、ユーザーは重送状態のまま搬送された用紙のみを容易に判別でき、用紙を高速で搬送するために用紙搬送路内に複数枚の用紙が存在するような場合であっても、この発明による上記効果を得ることができる。
【００１６】
この発明は別の観点からみると、上述のこの発明による用紙搬送方法を利用した原稿読取装置であって、原稿が積載される給紙部と、給紙部に積載された原稿を用紙搬送路へ給紙する給紙ローラと、用紙搬送路の途中に設けられ原稿が重なって用紙搬送路へ給紙された際に原稿の重送を検知する重送検知手段と、搬送されてきた原稿の画像を読み取る画像読取手段と、原稿を排紙部に排紙する排紙ローラと、給紙ローラ、重送検知手段、画像読取手段および排紙ローラを制御する制御部とを備え、制御部は給紙ローラを駆動させて原稿を用紙搬送路へ給紙させ、用紙搬送路へ給紙された原稿に重送が生じているか否かを重送検知手段により判定し、重送が生じていないと判定した場合は画像読取手段に原稿の画像読取を実行させると共に排紙ローラを駆動させて原稿を排紙部に排紙させ、重送が生じていると判定した場合は画像読取手段による原稿の画像読取を実行させることなく重送状態のまま原稿の搬送を継続して排紙部へ送り出す原稿読取装置を提供するものでもある。
【００１７】
この発明による上記の原稿読取装置によれば、制御部が、原稿に重送が生じていると判定した場合には原稿の画像読取を実行させずに重送状態のまま原稿の搬送を継続させて排紙部へ送り出させるので、誤った画像読取を未然に防ぐことができるだけでなく、画像読取が実行されずに重送状態のまま搬送され排紙部へ送り出されてきた原稿を容易に判別でき、重送が生じた原稿の後処理に関するユーザーの利便性の向上を図ることができる。
さらには、用紙の重送に起因して、ユーザーに用紙搬送路から原稿を取り除かせるような不便を強いることも解消できる。
【００１８】
この発明による上記の原稿読取装置において、給紙ローラとは、基本的に給紙部に積載された原稿に対して用紙搬送方向に摩擦力を付与することにより原稿を用紙搬送路へ送り出すローラを意味するが、例えば、ピックアップローラや、重送を解消すべく搬送方法と逆方向の摩擦力を原稿に付与するさばきローラなども給紙ローラの範疇に含まれる。
また、原稿読取装置は、原稿を用紙搬送路に沿って搬送する複数の搬送ローラや、搬送されてきた原稿を所定のタイミングで画像読取部へ送り出すレジストローラを備えていてもよい。
【００１９】
重送検知手段とは、原稿が重なって給紙された際に原稿の重送を検知するための手段を意味する。
したがって、重送検知手段は、超音波センサや光センサであってもよいし、或いは、搬送される用紙の表面に摺接し用紙の厚さによって変位する機械的な変位検出センサであってもよい。
【００２０】
画像読取手段とは、原稿の画像をスキャンして電子的な画像データに変換する手段を意味し、例えば、原稿に光を照射する光源、原稿から反射してきた反射光を光路変換するミラー群、光路変換された反射光を集束させるレンズ、集束された反射光を受光して電気的な信号に変換するＣＣＤなどから構成される縮小光学系の画像読取手段が挙げられる。
もちろん、画像読取手段は、このような縮小光学系のものに限定されるわけではなく、例えば、密着型イメージセンサが用いられてもよい。
【００２１】
制御部とは、給紙ローラ、重送検知手段、画像読取手段および排紙ローラを制御するマイクロコンピュータを意味し、例えば、演算処理を行うＣＰＵ、制御プログラムを格納したＲＯＭ、各種設定条件を格納するＲＡＭ、原稿読取装置の各種駆動部を駆動させるドライバ回路、原稿読取装置の各部と信号の入出力を行うＩ／Ｏポートなどで構成される。
【００２２】
この発明による上記の原稿読取装置において、制御部は重送が生じていると判定した場合、重送状態の原稿を排紙ローラによって挟持させてその状態で原稿を保持させると共に、給紙ローラによる給紙部から用紙搬送路への原稿の給紙を停止させてもよい。
このような構成によれば、重送が生じたと判定されたときに、給紙部から用紙搬送路への給紙が停止され、さらに重送状態の原稿が排紙ローラによって挟持されその状態で保持されるので、ユーザーは重送状態のまま搬送され画像読取が実行されなかった原稿を、画像読取が実行され先に排紙部に排紙された他の原稿と容易かつ確実に区別することができる。
これにより、ユーザーは排紙ローラによって挟持された原稿を給紙部へ戻すことにより、給紙部に残っている未搬送の原稿との並び順を容易に回復させることができ、ユーザーにとって極めて利便性の高いものとなる。
【００２３】
重送が生じていると判定されたときに原稿の給紙が停止されると共に重送状態の原稿が排紙ローラに挟持される上記構成に係る原稿読取装置は、制御部によって制御され所望のメッセージを表示する表示部をさらに備え、制御部は重送状態の原稿が排紙ローラによって挟持されたときに、排紙ローラに挟持された原稿を給紙部へ戻すメッセージを表示部に表示させてもよい。
このような構成によれば、排紙ローラに挟持された原稿が給紙部に戻されるべき原稿であることをユーザーに明確に知らせることができ、ユーザーにとって扱い易いものとなる。
【００２４】
以下、図面に示す実施例に基づいてこの発明を詳細に説明する。
【実施例】
【００２５】
実施例
図１〜６に基づいて、この発明の実施例によるシートスルー装置（原稿読取装置）（以下、「ＳＰＦ」と略称する）が搭載された画像形成装置について説明する。図１は、実施例によるＳＰＦが搭載された画像形成装置の全体構成を概略的に示す説明図である。
【００２６】
画像形成装置の全体構成と動作
図１に示されるように、この発明の実施例によるＳＰＦ１が搭載された画像形成装置１００は、ＳＰＦ１によって搬送された原稿を読み取って得られた画像データ、或いは、外部から伝達された画像データに応じて、所定の記録用紙に対してモノクロ画像を形成するものである。
画像形成装置１００は、自動原稿搬送ユニット２８、原稿の表面側の画像を読み取る第１画像読取部２および原稿の裏面側の画像を読み取る第２画像読取部４１を備えるＳＰＦ１、光書込ユニット３、現像器４、感光体５、帯電器６、クリーナユニット７、転写ユニット８、定着ユニット９、用紙搬送路１０、給紙トレイ１１および排紙トレイ１２とから主に構成されている。
【００２７】
ＳＰＦ１の第１画像読取部２は、光源ユニット１３、ミラーユニット１４およびＣＣＤ１５とから主に構成されている。
自動原稿搬送ユニット２８によって送られてくる原稿の表面側の画像を原稿移動方式で読み取る場合、光源ユニット１３およびミラーユニット１４は静止した状態で、原稿の画像を走査して読み取る。
自動原稿搬送ユニット２８によって所定の読取位置に原稿が搬送されてくると、光源ユニット１３の光源から原稿に光が照射され、原稿から反射された反射光がミラーユニット１４によって光路変換され、光路変換された反射光がＣＣＤ１５に結像されて電子的な画像データに変換される。
なお、ＳＰＦ１の具体的な構造と動作については後の項で詳述する。
【００２８】
帯電器６は、感光体５の表面を所定の電位に均一に帯電させるための帯電手段であり、実施例の画像形成装置１００では、チャージャー型の帯電器６を用いているが、接触型のローラ型やブラシ型の帯電器を用いることもできる。
また、この実施例では光書込ユニット３として、レーザ照射部１６ａ，１６ｂおよびミラー群１７ａ，１７ｂを備えたレーザスキャニングユニット（ＬＳＵ）を用いているが、発光素子をアレイ状に並べたＥＬ書き込みヘッドやＬＥＤ書き込みヘッドを用いることもできる。
【００２９】
光書込ユニット３は、高速印字処理に対応するために、２つのレーザ照射部１６ａ，１６ｂを備えた２ビーム方式を採用しており、照射タイミングの高速化に伴う負担が軽減されている。
そして、入力された画像データに応じてレーザ照射部１６ａ，１６ｂからレーザ光を照射し、ミラー群１７ａ，１７ｂを介して、帯電器６によって均一に帯電された感光体５を露光することにより、感光体５の表面に画像データに応じた静電潜像が形成される。
【００３０】
感光体５の近傍に配された現像器４は、感光体５の表面に形成された静電潜像を黒トナーで顕像化するものである。
また、感光体５の周囲に配されたクリーナユニット７は、現像・画像転写後に感光体５の表面に残留したトナーを除去・回収するものである。
【００３１】
画像形成装置１００は、全体を統合制御する図示しない制御部を備えている。
制御部は、ＣＰＵ、ＣＰＵが実行する制御プログラムを格納するＲＯＭ、ＣＰＵにワークエリアを提供するＲＡＭ、制御データを保持する不揮発性メモリ、画像形成装置１００の各部検知手段からの信号が入力される入力回路、画像形成装置１００の各部駆動機構を作動させるアクチュエータやモータを駆動させるドライバ回路、レーザ照射部１６ａ，１６ｂを駆動する出力回路などから構成される。
【００３２】
上述のように、感光体５の表面に顕像化された静電像は、搬送されてくる用紙に対して転写ユニット８から静電像が有する電荷と逆極性の電界が印加されることにより記録用紙上に転写される。
例えば、静電像が（−）極性の電荷を有している場合、転写ユニット８の印加極性は（＋）極性となる。
転写ユニット８の転写ベルト１９は、駆動ローラ２０、従動ローラ２１および他のローラで張架され、所定の抵抗値（例えば、１×１０9〜１×１０13Ω・ｃｍの範囲）を有している。
感光体５と転写ベルト１９との接触部には導電性を有し転写電界を印加することが可能な弾性導電性ローラ２２が配置されている。
【００３３】
転写ユニット８で記録用紙上に転写された静電像（未定着トナー）は、定着ユニット９に搬送されることにより、未定着トナーが溶融し記録用紙上に定着する。
定着ユニット９は、加熱ローラ２３，加圧ローラ２４を備えており、加熱ローラ２３の内周部には加熱ローラ２３の表面を所定温度（定着温度：概ね１６０〜２００℃）とする熱源が内蔵されている。
他方、加圧ローラ２４は、加熱ローラ２３に対して所定圧で圧接するようにその両端に図示しない加圧部材が配置されている。
これにより加熱ローラ２３と加圧ローラ２４との圧接部（定着ニップ部と呼ばれる）において、搬送されてくる記録用紙上の未定着トナーを加熱ローラ２３で加熱して溶融させ、圧接部でトナーを記録用紙に押して記録用紙上に定着させる。
【００３４】
複数の給紙トレイ１１は、画像形成に使用する記録用紙を蓄積しておくためのトレイであり、実施例の画像形成装置１００では、装置の下方に設けられている。
実施例の画像形成装置１００は高速印字処理を目的としているため、各給紙トレイ１１には定型サイズの記録用紙を５００〜１５００枚収納可能な容積が確保されている。
また、画像形成装置１００の側面には複数種の記録用紙を多量に収納可能な大容量給紙カセット（ＬＣＣ）２５と、主として不定型サイズの印字等に用いる手差しトレイ２６が設けられている。
【００３５】
排紙トレイ１２は、手差しトレイ２６とは反対側の側面に配置されているが、排紙トレイ１２に代えて、排紙用紙の後処理装置（ステープル、パンチ処理等々）や、複数段排紙トレイをオプションとして配置することも可能な構成となっている。
【００３６】
ＳＰＦの構成と動作
上述の画像形成装置１００に搭載されたＳＰＦ１について図２〜６に基づいて説明する。図２は実施例によるＳＰＦ（原稿読取装置）の断面図、図３は図２に示されるＳＰＦの要部拡大図であり原稿が重送状態で搬送される様子を示している。図４は原稿の重送による超音波の減衰と受波器で変換された電気エネルギーレベルとの相関関係を示す概念的なグラフ図、図５は図２に示されるＳＰＦを制御する制御部の構成を示すブロック図、図６は制御部が行う制御フローを示すフローチャート図である。
【００３７】
図２に示されるように、上述の画像形成装置１００（図１参照）に搭載されたＳＰＦ１は、原稿固定方式で原稿が読み取られるときに原稿が載置されるプラテンガラス２７を備えた第１画像読取部２と、第１画像読取部２に対して開閉可能に装着された自動原稿搬送ユニット２８とから主に構成されている。
【００３８】
第１画像読取部２の光源ユニット１３は、光を照射する光源２９、光源２９から発せられた光を所定の方向に集光するリフレクター（図示せず）、原稿からの反射光のみを通過させるスリット（図示せず）およびスリットを通過した反射光の光路を９０度変更する第１ミラー１４ａとから主に構成され、ミラーユニット１４は第１ミラー１４ａから反射してきた反射光をさらに１８０度変更する第２ミラー１４ｂおよび第３ミラー１４ｃとから構成されている。
【００３９】
ユーザーによって自動原稿搬送ユニット２８が開閉され、プラテンガラス２７上に原稿が載置されると、光源ユニット１３およびミラーユニット１４は、原稿固定方式で原稿を読み取る際のホームポジションにそれぞれ移動し、その後ユーザーから印字要求がなされると、光源ユニット１３は副走査方向に所定の速度Ｖで移動し、これと同時にミラーユニット１４は副走査方向にＶ／２の速度で移動し、原稿の全面においてＣＣＤ１５に至る光路長を常に一定に維持しつつ原稿からの反射光を結像レンズ３０を介してＣＣＤ１５へ導く。
【００４０】
自動原稿搬送ユニット２８は、原稿束が載置される原稿トレイ３１と、原稿束から原稿を原稿搬送路Ｓ１へ送り出すピックアップローラ３２と、原稿搬送路Ｓ１へ送り出された原稿を１枚ずつ分離させながら原稿搬送路Ｓ１の下流側へ搬送する給紙ローラ３３およびさばきローラ３４と、原稿を原稿搬送路Ｓ１に沿って搬送するための複数対の搬送ローラ３５と、原稿の表面側の画像を読み取るために原稿搬送路Ｓ１中に設けられた第１読取部と３６と、原稿の裏面側の画像を読み取るために第１読取部３６の下流側に設けられた第２読取部３７と、第１読取部３６に所定のタイミングで原稿を送り出すレジストローラ３８と、画像の読取を終えた原稿を排紙トレイ３９へ排出する１対の排紙ローラ４０ａ，４０ｂとから主に構成される。
【００４１】
原稿トレイ３１は上下方向に移動でき、原稿束が載置されると図示しないセンサがそれを検知し、ユーザーから印字要求がなされると、原稿トレイ３１が上方へ移動し、原稿束のうち最も上に位置する原稿からピックアップローラ３２によって原稿搬送路Ｓ１へ送り出され、給紙ローラ３３およびさばきローラ３４、並びに複数対の搬送ローラ３５を経てレジストローラ３８に至る。
原稿はレジストローラ３８に突き当たることにより斜行が矯正された後、再びレジストローラ３８によって所定のタイミングで第１読取部３６へ搬送される。
【００４２】
この際、光源ユニット１３およびミラーユニット１４は、図２に示す原稿移動方式のホームポジションに移動し、このホームポジションに静止したまま光源ユニット１３から第１読取部３６を通過する原稿に光を照射し、原稿の画像を読み取る。
【００４３】
画像が読み取られた原稿は１対の排紙ローラ４０ａ，４０ｂを経て排紙トレイ３９へ排出されるが、両面読取の要求がユーザーからなされている場合には第２読取部３７で原稿の裏面側の画像がさらに読み取られる。
【００４４】
自動原稿搬送ユニット２８は、第２読取部３７で原稿移動方式により原稿の裏面の画像を読み取るために第２画像読取部４１を備えている。
第２画像読取部４１は、光源４２、第１ミラー４３ａ、第２ミラー４３ｂ、第３ミラー４３ｃ、第４ミラー４３ｄ、結像レンズ４４およびＣＣＤ４５を備えている。
【００４５】
ユーザーによって両面読取の要求がなされている場合、光源４２から第２読取部３７を通過する原稿に対して光が照射され、原稿の裏面から反射した反射光は、第１ミラー４３ａ、第２ミラー４３ｂ、第３ミラー４３ｃ、第４ミラー４３ｄおよび結像レンズ４４を経てＣＣＤ４５に導かれる。
【００４６】
ところで、原稿トレイ３１に載置された原稿束から原稿が原稿搬送路Ｓ１へ送り出される際、通常は、仮に原稿が重なった状態で原稿搬送路Ｓ１へ送り出された場合であっても、さばきローラ３４によって重送状態が解消され、上述のように給紙ローラ３３によって原稿搬送路Ｓ１の下流側へ１枚ずつ搬送される。
しかし、実施例のＳＰＦ１は、高速印字処理に対応するべく原稿を高速で搬送するため、さばきローラ３４を設けていても重送が生じる可能性は否定できない。
そこで、実施例のＳＰＦ１は、給紙ローラ３３とさばきローラ３４の下流側に重送検知手段としての重送検知センサ４６を設けている。重送検知センサ３５は、超音波を発信する送波器４７と、送波器４７から発信された超音波を受信して電気エネルギーに変換する受波器４８とから構成されている。
【００４７】
仮に、図３に示されるように、原稿Ｄａと原稿Ｄｂが互いに重なった重送状態で搬送されている場合、送波器４７から発信された超音波は、原稿Ｄａ，Ｄｂが重なることにより生まれた僅かな空気層で大きく減衰し、受波器４８に受信され電気エネルギーに変換される。
したがって、図４に示されるように、受波器４８で変換された電気エネルギーのレベルを所定の閾値と比較することにより、原稿Ｄａ，Ｄｂが正常に１枚ずつ搬送されているか、或いは図３に示されるように重送状態で搬送されているかを検知することができる。
【００４８】
ここで、ＳＰＦ１を制御する制御部の構成について図５に基づいて説明する。
図５に示されるように、ＳＰＦ１を制御する制御部４９は、演算処理を行うＣＰＵ５０、制御プログラムを格納したＲＯＭ５１、各種設定条件を格納するＲＡＭ５２、ＳＰＦ１の各種センサと信号の入出力を行うＩ／Ｏポート５３、ＳＰＦ１の各種駆動部を駆動するドライバ回路５４とから構成されている。
【００４９】
以下、制御部４９がＳＰＦ１を制御する制御フローについて図６に基づいて説明する。なお、以下の制御フローの説明において引用するＳＰＦ１の各部については適宜図２を参照されたい。
図６に示されるように、待機状態のＳＰＦ１に対し、ステップ１でユーザーから原稿の読取要求がなされると、ステップ２へ進んで原稿トレイ３１に原稿が載置されているか否かを判断し、原稿トレイ３１に原稿が載置されていると判断すると、ステップ３に進んで原稿の搬送を開始する。
ステップ３で原稿の搬送を開始した後、ステップ４に進んで重送検知センサ４６が原稿の重送を検知したか否かを判断する。具体的には、上述したように、受波器４８によって変換された電気エネルギーのレベルが所定の閾値（１枚のレベル）よりも低下したか否かを判断することになる。
【００５０】
ステップ４で原稿の重送を検知しなかった場合は、ステップ５に進んで原稿読取処理を行った後、ステップ６に進んで原稿を排紙トレイ３９に排出し、次に読み取るべき原稿があるか否かを判断する（ステップ７）。
ステップ７で次に読み取るべき原稿があると判断した場合はステップ３に戻って次の原稿の搬送を開始し、次に読み取るべき原稿がないと判断した場合は一連のフローを終了し待機状態に戻る。
【００５１】
一方、ステップ４で原稿の重送を検知した場合は、ステップ８に進んで重送原稿に対する原稿読取処理を中止し、ステップ９に進んで重送原稿の搬送を継続し、排紙ローラ４０ａ，４０ｂで重送原稿を挟持する（ステップ１０）。
ステップ１０で重送原稿を挟持すると、ステップ１１に進んで表示部に、排紙ローラに挟持されている原稿を原稿トレイに戻すよう促す旨のメッセージを表示し、ステップ１２に進んで排紙ローラ４０ａ，４０ｂに挟持された重送原稿が取り除かれたか否かを判断する。
【００５２】
ステップ１２で排紙ローラ４０ａ，４０ｂに挟持された重送原稿が取り除かれたと判断すると、ステップ１３に進んで、スタートキーを押して原稿読取を再開させるよう促す旨のメッセージを表示し、スタートキーが押されたか否かを判断する（ステップ１４）。そして、ステップ１４でスタートキーが押されたと判断するとステップ３に戻って原稿の搬送を再開させる。
【００５３】
以上の制御フローでは、１枚の原稿について搬送、原稿読取処理、排紙が完了してから次の原稿の搬送が開始されるが、勿論、先に搬送された原稿に対する原稿読取処理又は排紙を待つことなく、次々と連続的に原稿を搬送するように制御してもよい。
この場合、重送原稿が検知されたときに、先に給紙され正常に搬送されている原稿については原稿読取処理と排紙を完了させると共に、原稿トレイ３１に次の原稿が残っている場合には、当該原稿の搬送を中止するように制御することとなる。
【図面の簡単な説明】
【００５４】
【図１】この発明の実施例によるＳＰＦ（原稿読取装置）を搭載した画像形成装置の全体的な構成を概略的に示す説明図である。
【図２】実施例によるＳＰＦ（原稿読取装置）の断面図である。
【図３】図２に示されるＳＰＦの要部拡大図であり、原稿が重送状態で搬送される様子を示している。
【図４】原稿の重送による超音波の減衰と受波器で変換された電気エネルギーレベルとの相関関係を示す概念的なグラフ図である。
【図５】図２に示されるＳＰＦを制御する制御部の構成を示すブロック図である。
【図６】制御部の制御フローを示すフローチャート図である。
【符号の説明】
【００５５】
１・・・ＳＰＦ（原稿読取装置）
２・・・第１画像読取部
３・・・光書込ユニット
４・・・現像器
５・・・感光体
６・・・帯電器
７・・・クリーナユニット
８・・・転写ユニット
９・・・定着ユニット
１０・・・用紙搬送路
１１・・・給紙トレイ
１２，３９・・・排紙トレイ
１３・・・光源ユニット
１４・・・ミラーユニット
１４ａ，４３ａ・・・第１ミラー
１４ｂ，４３ｂ・・・第２ミラー
１４ｃ，４３ｃ・・・第３ミラー
１５，４５・・・ＣＣＤ
１６ａ，１６ｂ・・・レーザ照射部
１７ａ，１７ｂ・・・ミラー群
１９・・・転写ベルト
２０・・・駆動ローラ
２１・・・従動ローラ
２２・・・弾性導電性ローラ
２３・・・加熱ローラ
２４・・・加圧ローラ
２５・・・大容量給紙カセット
２６・・・手差しトレイ
２７・・・プラテンガラス
２８・・・自動原稿搬送ユニット
２９，４２・・・光源
３０，４４・・・結像レンズ
３１・・・原稿トレイ
３２・・・ピックアップローラ
３３・・・給紙ローラ
３４・・・さばきローラ
３５・・・搬送ローラ
３６・・・第１読取部
３７・・・第２読取部
３８・・・レジストローラ
４０ａ，４０ｂ・・・排紙ローラ
４１・・・第２画像読取部
４３ｄ・・・第４ミラー
４６・・・重送検知センサ
４７・・・送波器
４８・・・受波器
４９・・・制御部
５０・・・ＣＰＵ
５１・・・ＲＯＭ
５２・・・ＲＡＭ
５３・・・Ｉ／Ｏポート
５４・・・ドライバ回路
１００・・・画像形成装置
Ｄａ，Ｄｂ・・・原稿
Ｓ１・・・原稿搬送路
【図１】
2008063101.tif 000003
【図２】
2008063101.tif 000004
【図３】
2008063101.tif 000005
【図４】
2008063101.tif 000006
【図５】
2008063101.tif 000007
【図６】
2008063101.tif 000008